(57)【要約】【課題】  従来よりも少ない装着数で家具類を安定化できるようにして、転倒防止装置の購入コストと装着手間を低減する。【解決手段】  本発明は、部屋の天井と家具類の天板の間に突っ張り状態で介在させて使用する家具類の転倒防止装置に関する。この転倒防止装置１は、上下方向に伸縮自在な内外二重筒構造の支柱２と、支柱２の伸縮を許容するアンロック状態と当該支柱２の収縮を規制するロック状態とに切り替え自在な操作部材３と、支柱２の上端及び下端にそれぞれ取り付けられた当接部材４，５とを備えている。この当接部材４，５は、左右方向と前後方向に長いプレート材よりなり、かつ、左右方向中央部でかつ前後方向で後部側に偏った位置に、支柱２の端部が取り付けられている。【選択図】図１
2013094653.tif 000002
【特許請求の範囲】
【請求項１】
部屋の天井と家具類の天板の間に突っ張り状態で介在させて使用する家具類の転倒防止装置であって、
上下方向に伸縮自在な内外二重筒構造の支柱と、
前記支柱の伸縮を許容するアンロック状態と当該支柱の収縮を規制するロック状態とに切り替え自在な操作部材と、
前記支柱の上端及び下端にそれぞれ取り付けられた当接部材とを備えており、
前記当接部材は、左右方向と前後方向に長いプレート材よりなり、かつ、左右方向中央部でかつ前後方向で後部側に偏った位置に、前記支柱の端部が取り付けられていることを特徴とする家具類の転倒防止装置。
【請求項２】
前記プレート材は、左右方向に沿った直線状の後縁部を有する、ほぼ半円形の平面形状に形成されている請求項１に記載の家具類の転倒防止装置。
【請求項３】
前記支柱の内部に、当該支柱を伸長方向に付勢するばね部材が収納されている請求項１又は２に記載の家具類の転倒防止装置。
【請求項４】
前記支柱が、当該支柱の下部側に位置する外筒体と、この外筒体の内部に上下動自在に挿通された内筒体とを有し、
前記操作部材が、前記外筒体の上端部に取り付けられた押圧枠材と、この押圧部材に上下動自在に枢着された操作レバーとを有し、この操作レバーを下方に揺動操作することにより、前記押圧枠材で前記内筒体を締め付けてロック可能となっている請求項１〜３のいずれか１項に記載の家具類の転倒防止装置。
【発明の詳細な説明】
【技術分野】
【０００１】  本発明は、部屋の天井と家具類の天板の間に突っ張り状態で介在させて使用する、家具類の転倒防止装置に関するものである。
【背景技術】
【０００２】  この種の家具類の転倒防止装置として、上下方向に伸縮自在な内外二重筒構造の支柱と、支柱の伸縮を許容するアンロック状態と当該支柱の収縮を規制するロック状態とに切り替え自在な操作部材と、支柱の上端及び下端にそれぞれ取り付けられた当接部材とを備えたものが知られている（特許文献１参照）。【０００３】  かかる転倒防止装置をタンスや戸棚などの家具類の上方空間に装着するには、まず、操作部材をアンロック状態に切り替えて支柱を伸縮可能にしておき、この状態で、下側の当接部材を家具類の天板に載置して、支柱をがほぼ垂直状態となるようにセットする。
その後、上側の当接部材が部屋の天井に当接するまで支柱を伸長させ、操作部材をロック状態に切り替えて支柱の収縮を規制することにより、転倒防止装置を部屋の天井と家具類の天板の間で突っ張り状態となるようにセットすればよい。
【先行技術文献】
【特許文献】
【０００４】
【特許文献１】  特開平９−２８４８９号公報
【発明の概要】
【発明が解決しようとする課題】
【０００５】  上記従来の転倒防止装置では、上下の当接部材が水平方向に長い棒状材により構成されているので、地震等で比較的大きな揺れが生じた場合でも、家具類を確実に安定させるためには、家具類の幅方向の少なくとも２箇所に転倒防止装置を装着せねばならない。
このため、ユーザは、１つの家具類に対して地震対策を施すために、複数の転倒防止装置を購入して装着する必要があり、地震対策に要する装置の購入コストと装着手間が大きいという問題があった。【０００６】  本発明は、かかる従来の問題点に鑑み、従来よりも少ない装着数で家具類を安定化できるようにして、購入コストと装着手間を低減することができる転倒防止装置を提供することを目的とする。
【課題を解決するための手段】
【０００７】  本発明の転倒防止装置は、部屋の天井と家具類の天板の間に突っ張り状態で介在させて使用する家具類の転倒防止装置であって、上下方向に伸縮自在な内外二重筒構造の支柱と、前記支柱の伸縮を許容するアンロック状態と当該支柱の収縮を規制するロック状態とに切り替え自在な操作部材と、前記支柱の上端及び下端にそれぞれ取り付けられた当接部材とを備えており、前記当接部材は、左右方向と前後方向に長いプレート材よりなり、かつ、左右方向中央部でかつ前後方向で後部側に偏った位置に、前記支柱の端部が取り付けられていることを特徴とする。【０００８】  本発明の転倒防止装置によれば、支柱の上端及び下端に取り付けられた当接部材が、左右方向と前後方向に長いプレート材よりなり、かつ、左右方向中央部でかつ前後方向で後部側に偏った位置に、支柱の端部が取り付けられているので、上下の当接部材が水平方向に長い棒状材よりなる従来装置に比べて、家具類の前後方向だけでなく幅方向の設置面積が増大し、従来よりも少ない装着数で家具類を安定させることができる。【０００９】  本発明の転倒防止装置において、前記プレート材は、左右方向に沿った直線状の後縁部を有する、ほぼ半円形の平面形状に形成されていることが好ましい。
かかる平面形状のプレート材を採用すれば、プレート材の後縁部を家具類の後縁に沿わせた状態で装着することにより、家具類の上方空間における出来るだけ後部側に偏った位置に支柱を配置することができる。このため、転倒防止装置の装着後においても、家具類の上方空間を物品の収納空間として有効活用できるという利点がある。【００１０】  本発明の転倒防止装置において、前記支柱の内部に、当該支柱を伸長方向に付勢するばね部材が収納されていることが好ましい。
かかるばね部材を採用すれば、転倒防止装置を家具類の天板に載置した状態で操作部材をアンロック状態に切り替えると、支柱が自動的に伸長して上側の当接部材が天井に当接する。このため、ユーザが、家具類の上方空間において支柱を自力で伸長させなくても、上側の当接部材を天井に当接させることができ、転倒防止装置の装着作業がより簡便になる。【００１１】  本発明の転倒防止装置において、前記支柱が、当該支柱の下部側に位置する外筒体と、この外筒体の内部に上下動自在に挿通された内筒体とを有し、前記操作部材が、前記外筒体の上端部に取り付けられた押圧枠材と、この押圧枠材に上下動自在に枢着された操作レバーとを有し、この操作レバーを下方に揺動操作することにより、前記押圧枠材で前記内筒体を締め付けてロック可能となっていることが好ましい。【００１２】  この場合、操作レバーを下方に揺動操作するだけで、押圧枠材で内筒体を締め付けてロック可能となるので、極めて簡便な操作で支柱をロック状態にすることができ、家具類の上方空間で行う転倒防止装置の装着作業が簡便になる。
【発明の効果】
【００１３】  以上の通り、本発明によれば、従来よりも少ない装着数で家具類を安定化できるので、転倒防止装置の購入コストと装着手間を低減することができる。
【図面の簡単な説明】
【００１４】
【図１】  （ａ）は本発明の実施形態に係る転倒防止装置の平面図であり、（ｂ）は同転倒防止装置の正面図である。
【図２】  同転倒防止装置の側面図である。
【図３】  同転倒防止装置の収縮状態の側面断面図である。
【図４】  同転倒防止装置の伸長状態の側面断面図である。
【発明を実施するための形態】
【００１５】  以下、図面に描かれた本発明の実施形態を説明する。
図１〜図４に示すように、本実施形態の転倒防止装置１は、部屋の天井（図示せず）とタンスや書庫などの家具類（図示せず）の間に突っ張り状態で介在させて使用するものであり、上下方向に伸縮自在な支柱２と、この支柱２の伸縮をロック又はアンロックするための操作部材３と、支柱２の上端及び下端にそれぞれ取り付けられた当接部材４，５とを備えている。なお、図１及び図２では、支柱２が一部分断した状態で描かれている。
【００１６】  支柱２は、下部側に位置する外筒体１１と、この外筒体１１の内部に上下動自在に挿通された内筒体１２とを有している。これらの筒体１１，１２は、いずれも、背面側の一部が開放された断面ほぼＣ字状でかつ鋼製のチャンネル材よりなる（図４参照）。
図３及び図４に示すように、内筒体１２の内部には、コイル状の引っ張りばねよりなるばね部材１３が収納されている。このばね部材１３の上端は、外筒体１１の断面内の上端部に設けられたブラケット１４に掛止され、ばね部材１３の下端は、内筒体１２の下端部に設けられた底壁に係止されている。
【００１７】  従って、内筒体１２の下端が外筒体１１の上部側に位置する支柱２の伸長状態（図４の状態）では、ばね部材１３がほぼ自然長となる。また、支柱２の伸長状態から内筒体１２の下端を外筒体１１の下部側に向かって押し込むと、支柱２が収縮状態（図３の状態）となり、ばね部材１３が内筒体１２の下端を上方へ付勢する。
このように、支柱２の内部に収納されたばね部材１３は、支柱２が常に伸長するように内筒体１２を上方に付勢する機能を有する。
【００１８】  操作部材３は、外筒体１１の上端部に取り付けられた押圧枠材１５と、この押圧枠材１５に上下動自在に枢着された操作レバー１６とから構成されている。
図４の断面部分に示すように、押圧枠材１５は、内筒体１２の背面側の開口凹部を押圧する背面凸部１７と、この背面凸部１７の左右両端から前面側に伸びる左右一対の枢着アーム１８と、この枢着アーム１８間に架設された枢着軸１９とを有する。
【００１９】  操作レバー１６の上端部にはヘッド部２０が一体に形成され、このヘッド部２０を、左右の枢着アーム１８間に架設された上記枢着軸１９が回転自在に貫通している。
また、操作レバー１６のヘッド部２０には、カム面２１が形成されており、このカム面２１は、操作レバー１６を下方（図３のＤ方向）に揺動させると、押圧枠材１５の背面凸部１７を内筒体１２に押し付け、上方（図３のＵ方向）に揺動させると、押圧枠材１５の背面凸部１７の内筒体１２に対する押圧を解除する形状に形成されている。
【００２０】  従って、本実施形態の操作レバー１６は、上方に揺動させると支柱２の伸縮を許容する「アンロック状態」となり、逆に、下方に揺動させると支柱２の収縮を規制する「ロック状態」となり、それらのアンロック状態又はロック状態のいずれかに操作状態を切り替え可能となっている。
【００２１】  図１に示すように、上下の当接部材４，５は、いずれも、左右方向と前後方向に長いプレート材よりなり、このプレート材は、左右方向に沿った直線状の後端縁６を有する、ほぼ半円形の平面形状に形成されている。
また、図３及び図４に示すように、上下の当接部材４，５を構成するプレート材は、平面から見て格子状に成型された複数のリブ７を断面内部に有しており、このリブ７により、出来るだけ重量を抑えつつ曲げ剛性を増加させた中空構造になっている。
【００２２】  更に、支柱２の下側及び上側の各端部は、上下の当接部材４，５における、左右方向中央部でかつ前後方向で後部側に偏った位置にそれぞれ取り付けられている。
すなわち、図１（ａ）に示すように、当接部材４，５に対する支柱２の取付位置は、左右方向ではその中央部に配置され、前後方向ではその後端部よりの位置（後端縁６に近接した位置）に配置されている。なお、１つの転倒防止装置１のみで１つの家具類の転倒を防止可能とするのには、上下の当接部材４，５の幅寸法を概ね３０〜５０ｃｍに設定し、前後寸法を概ね２５〜４０ｃｍに設定すればよい。
【００２３】  本実施形態の転倒防止装置１をタンスや戸棚などの家具類の上方空間に装着するには、まず、操作レバー１６を上方揺動させてアンロック状態に切り替え、支柱２をいったん伸縮可能な状態にする。
そして、ばね部材１３の付勢力に抗して支柱２を収縮させて、支柱２を家具類の上方空間よりも低い長さにして、操作レバー１６を下方揺動させてロック状態に切り替える。
【００２４】  その後、転倒防止装置１を家具類の上方空間に収容して、下側の当接部材５の後端縁６を家具類の天板の奥側の縁部にほぼ沿わせるようにして、当該転倒防止装置１を家具類の天板に載置し、操作レバー１６をアンロック状態に切り替える。
すると、ばね部材１３の付勢力によって支柱２が自動的に伸長して、上側の当接部材４が部屋の天井に当接し、支柱２がほぼ垂直状態となるようにセットされる。
【００２５】  そして、操作レバー１６を再び下方揺動させてロック状態に切り替え、支柱２の収縮を規制する。これにより、転倒防止装置１が、部屋の天井と家具類の天板の間で突っ張り状態となるようにセットされることになる。
【００２６】  本実施形態の転倒防止装置１によれば、支柱２の上端及び下端に取り付けられた当接部材４，５が、左右方向と前後方向に長いプレート材よりなり、かつ、左右方向中央部でかつ前後方向で後部側に偏った位置に、支柱２の端部が取り付けられている。
このため、上下の当接部材４，５が水平方向に長い棒状材よりなる従来装置に比べて、家具類の前後方向だけでなく幅方向の設置面積が増大し、従来よりも少ない装着数で家具類を安定させることができる。
【００２７】  その上、上下の当接部材４，５を構成するプレート材が、左右方向に沿った直線状の後縁部６を有する、ほぼ半円形の平面形状に形成されているので、プレート材の後縁部６を家具類の後縁に沿わせた状態で装着することにより、家具類の上方空間における出来るだけ後部側に偏った位置に支柱２を配置することができる。
このため、転倒防止装置１の装着後においても、家具類の上方空間を物品の収納空間として有効活用することができる。
【００２８】  また、本実施形態の転倒防止装置１によれば、支柱２を伸長方向に付勢するばね部材１３を採用しているので、家具類の天板に載置した状態で操作部材３をアンロック状態に切り替えると、支柱２が自動的に伸長して上側の当接部材４が天井に当接する。
このため、ユーザが、家具類の上方空間において支柱２を自力で伸長させなくても、上側の当接部材４を天井に当接させることができ、転倒防止装置１の装着作業が非常に簡便になる。
【００２９】  更に、本実施形態の転倒防止装置１によれば、操作部材３として、上下揺動自在な操作レバー１６を採用しており、この操作レバー１６を下方に揺動操作するだけで、押圧枠材１５で内筒体１２を締め付けてロック可能となっている。
このため、極めて簡便な操作で支柱２をロック状態にすることができ、この点においても、家具類の上方空間で行う転倒防止装置１の装着作業が簡便になるという利点がある。
【符号の説明】
【００３０】  １：転倒防止装置
２：支柱
３：操作部材
４：当接部材（上側）
５：当接部材（下側）
６：後端縁
１１：外筒体
１２：内筒体
１３：ばね部材
１５：押圧枠材
１６：操作レバー
【図１】
2013094653.tif 000003
【図２】
2013094653.tif 000004
【図３】
2013094653.tif 000005
【図４】
2013094653.tif 000006